(57)【特許請求の範囲】
【請求項１】
建築物外壁の開口部の周りに左右両側に開口補強縦材を配置し、かつその上下両側に開口補強上横材と開口補強下横材とを配置し、前記開口補強上横材の途中から躯体梁に対して掛渡された吊り材を配置し、更に前記開口補強上横材に外壁パネルを取り付けて構成したパネル取付構造に於いて、
前記開口補強上横材は、前記吊り材に固着された支持部材を前記躯体梁の下側フランジ上に載置することによって支持され、
前記支持部材は、前記躯体梁に対して所定方向に摺動可能な如く構成されることを特徴とした開口部のパネル取付構造。
【請求項２】
前記躯体梁の下側フランジと吊り材の支持部材との間にスベリ材を介在させて構成したことを特徴とした請求項１に記載の開口部のパネル取付構造。
【発明の詳細な説明】
【０００１】
【発明の属する技術分野】
本発明は建築物外壁の開口部のパネル取付構造に係り、特に、本発明はパネルを所定方向に摺動可能な免震構法を用いて建築物外壁を構成する場合に於いて、開口部の開口補強縦材と、その隣りに配置される一般の外壁パネルとの間に形成される伸縮目地の巾寸法を著しく小さくすることが出来る開口部のパネル取付構造に関するものである。
【０００２】
【従来の技術】
従来、図５に示すように外壁面に巾広の開口５１を設ける場合には、開口５１の開口補強上横材５２が、この開口補強上横材５２上に設けられる開口上のパネル５３の自重を支持するためにたわむことを防止する目的で、開口補強上横材５２の中間に吊り材５４が設けられていた。
【０００３】
この吊り材５４は、特に図６及び図７に示す如く、定規アングル５５及びアングルピース５６を介して夫々躯体梁５７の上下フランジに夫々固着されていた。また、開口５１の両側に設けられる開口補強縦材５８も特に図６に示す如く、定規アングル５５、アングルピース５６によって躯体梁５７に夫々固着されていた。
【０００４】
図中、５９は開口補強下横材、６０は中間補強材、６１は開口下パネル、６２は一般部パネルである。
【０００５】
【発明が解決しようとする課題】
然るに、前述の従来の開口部のパネル取付構造に於いては、図５乃至図８に示す如く、開口５１の両側の開口補強縦材５８及び吊り材５４が躯体梁５７に固定されて移動しないので、地震時に一般部パネル６２が移動して開口補強縦材５８に接触して一般部パネル６２が破損するのを防ぐために、特に図８に示す如く、該一般部パネル６２と開口上パネル５３との間に大きな巾を持った伸縮目地６３を設ける必要があった。
【０００６】
即ち、例えば図８に示す如く、開口補強縦材５８を中心にして、その両側にＸ1 及びＸ2 の隙間を設けなければならなず、実際には伸縮目地６３を２０ｍｍ以上の巾にする必要があった。このように伸縮目地６３の巾を２０ｍｍとした場合には、特に問題がない寸法ではあるが、サッシを取り付けた場合には、開口補強縦材と開口サッシとの間に、さらに２０ｍｍの間隙が必要なため、シーリング寸法が４０ｍｍ程度になってしまう問題があった。
【０００７】
しかし、伸縮目地６３を前述のように、大きな巾にした場合には、寸法が非常に大きいので体裁が悪く、外観上見苦しい問題があった。更に、この伸縮目地６３をシーリングするに当たっては、多量のシーリング材が必要であり、コスト高になる問題もあった。
【０００８】
本発明に係る開口部のパネル取付構造は、前述の従来の問題点に鑑み開発された全く新しい技術であって、特に外壁面の開口に設けられた開口補強縦材と、開口補強上横材の途中を支持する支持部材とを所定方向に摺動し得る如く構成し、これによって、一般部パネルが地震時等に開口補強縦材と接触して破損することを防止すると共に、一般部パネルに隣接して設けられる伸縮目地を極めて小さな巾に形成することを可能とした全く新しい技術を提供するものである。
【０００９】
【課題を解決するための手段】
本発明に係る開口部のパネル取付構造は、前述の従来の多くの問題点を根本的に改善した技術であって、その第１発明の要旨は、建築物外壁の開口部の周りに左右両側に開口補強縦材を配置し、かつその上下両側に開口補強上横材と開口補強下横材とを配置し、前記開口補強上横材の途中から躯体梁に対して掛渡された吊り材を配置し、更に前記開口補強上横材に外壁パネルを取り付けて構成したパネル取付構造に於いて、前記開口補強上横材は、前記吊り材に固着された支持部材を前記躯体梁の下側フランジ上に載置することによって支持され、前記支持部材は、前記躯体梁に対して所定方向に摺動可能な如く構成されることを特徴とした開口部のパネル取付構造である。
【００１０】
前述の第１発明に係る開口部のパネル取付構造は、開口部の左右両側に配置された開口補強縦材を夫々所定方向に摺動可能な如く躯体に取り付けて構成したので、地震時等の震動によって一般部パネルが移動した場合にも、前記開口補強縦材を追従させて、一般部パネルが開口補強縦材に接触して破損することを防止することが出来る。また、一般部パネルとの間に設けられる伸目地巾を著しく小さな巾で構成することが出来る。
【００１１】
前述の第１発明に係る開口部のパネル取付構造は、開口補強上横材の途中から躯体梁に掛渡された吊り材に固着された支持部材が前記躯体梁の下側フランジ上に所定方向に摺動可能な如く載置して構成したので、地震時等に震動が生じた場合には、前記開口補強縦材と共にこの吊り材を一体的にスムーズに摺動させることが出来る。
【００１２】
従って、これ等の開口補強縦材、吊り材及び開口補強上横材等よりなる開口補強枠全体を一般部パネルと同様にスムーズに摺動させることが出来、これによって一般部パネルが開口補強縦材に接触して破損することを防止することが出来る。
【００１３】
本発明の開口部のパネル取付構造の第２発明の要旨は、前記躯体梁の下側フランジと吊り材の支持部材との間にスベリ材を介在させて構成したことを特徴とした第１発明の開口部のパネル取付構造である。
【００１４】
本願の前述の第２発明に於いては、躯体梁の下側フランジと吊り材の支持部材との間にスベリ材を介在させて構成したので、地震時等に震動が生じた場合には、前記スベリ材の作用で吊り材をよりスムーズに摺動させることが出来る。
【００１５】
【発明の実施の形態】
図により本発明に係る開口部のパネル取付構造の一実施例を具体的に説明すると、図１は本発明に係る開口部のパネル取付構造の要部の縦断面図、図２は開口部の補強枠の構成を示す要部の斜視説明図、図３は図２の吊り材の取付構造を示す拡大説明図、図４は図２の補強枠の周りにパネルを取付けた状態の横断面図である。
【００１６】
図１乃至図４に於いて、前記従来の技術に於いて詳述したように、開口１の周りに開口補強上横材２、開口補強下横材３、開口補強縦材４が設けられて、開口部の補強枠を構成している。
【００１７】
前記開口補強縦材４は、特に図２に示す如く、その上部にはイナズマ金物５が固着され、かつこのイナズマ金物５は躯体梁６の下フランジ６ａに固着されたアングルピース７に摺動可能な如く係止されている。躯体梁６の上フランジ６ｂには定規アングル８が取り付けられている。
【００１８】
９は吊り材であって、その下端は開口補強上横材２の途中（中央部）に固定されている。そして、吊り材９の中間部に固着されたアングルピースよりなる支持部材１０は、躯体梁６の下フランジ６ａ上に摺動自在に載置されている。
【００１９】
また、吊り材９の上端部と、その中間部の下方とには、特に図１によって明らかな如く、イナズマ金物５が固着され、かつ躯体梁６の上下フランジ６ａ，６ｂに固定されたアングルピース７に摺動可能な如く係止されている。
【００２０】
前記実施例に於いて、特に図３に示す如く、支持部材１０と躯体梁６の下フランジ６ａとの間にはスベリ材１１が介在されており、スベリ材１１上で支持部材１０がすべり易く構成されている。
【００２１】
図４に於いて、１２は開口上の短尺のパネルであって、開口補強上横材２の上に載置して取り付けられている。１３は長尺の一般部パネルであって、開口１の開口補強縦材４に隣接して面内方向に摺動可能な状態で取り付けられている。また、両側に配置された開口部のパネル取付構造４と、その中間に配置された吊り材９とは、矢印で例示するように、左右方向にスライドし得る如く構成されている。
【００２２】
前述の本発明に係る開口部のパネル取付構造に於いては、吊り材９が支持部材１０、イナズマ金物５及びアングルピース７を介して躯体梁６に取り付けられているので、吊り材９は外壁面方向のみならず、面内方向にも摺動し得る如く構成されている。かつ、開口補強縦材４も同様に外壁面方向と面内方向に摺動し得るように構成されている。
【００２３】
従って、地震時等の震動によって、開口１に隣接する一般部パネル１３がスライドした場合には、開口補強縦材４と吊り材９とを夫々同方向にスライドさせることが出来、これによって一般部パネル１３が開口補強縦材４に接触して破損することを防止することが出来る。
【００２４】
そのために、本発明の開口部のパネル取付構造を構成した場合には、前述の従来の技術のように、開口の周りに極めて巾の広い伸縮目地を設ける必要がなく、例えば図４に示すような極めて巾の小さい伸縮目地１４を設けることによって、構成することが出来る。
【００２５】
【発明の効果】
本発明に係る開口部のパネル取付構造は、前述のような構成と作用とを有するので、次のような多大な効果を有している。
【００２６】
本発明に於いては、巾広の開口部に設けられる吊り材を所定方向に摺動し得る如く躯体側に取付けたので、巾広の開口部を免震性に優れた構造とすることが出来る。
【００２７】
特に、吊り材に固定された支持部材と躯体梁のフランジとの間にスベリ材を介在させた場合には、吊り材の摺動をより容易にし、効果を更に向上せしめることが出来る。
【００２８】
また、前述のように、地震時等に於いては吊り材及び開口補強縦材を周りの一般部パネルを同様に同一方向に摺動し得るように構成したので、開口部の周りの一般部パネルとの間に形成される伸縮目地を極めて小さくすることが出来、これによって伸縮目地に充填されるシーリング材を少なくし、コストを安価にすると共に、現場での工事を著しく容易にすることが出来る。
【図面の簡単な説明】
【図１】  本発明に係る開口部のパネル取付構造の要部の縦断面図である。
【図２】  開口部の補強枠の構成を示す要部の斜視説明図である。
【図３】  図２の吊り材の取付構造を示す拡大説明図である。
【図４】  図２の補強枠の周りにパネルを取り付けた状態の横断面図である。
【図５】  従来の外壁の開口部の構成を示す正面説明図である。
【図６】  図５の開口部の補強枠の構成を示す斜視説明図である。
【図７】  図５の開口部の要部の縦断面説明図である。
【図８】  図５の開口部の要部の横断面説明図である。
【符号の説明】
１ 開口
２ 開口補強上横材
３ 開口補強下横材
４ 開口補強縦材
５ イナズマ金物
６ 躯体梁
６ａ 下フランジ
６ｂ 上フランジ
７ アングルピース
８ 定規アングル
９ 吊り材
１０ 支持部材
１１ スベリ材
１２ 短尺のパネル
１３ 長尺の一般部パネル
１４ 伸縮目地
５１ 開口
５２ 開口補強上横材
５３ 開口上のパネル
５４ 吊り材
５５ 定規アングル
５６ アングルピース
５７ 躯体梁
５８ 開口補強縦材
５９ 開口補強下横材
６０ 中間補強材
６１ 開口下パネル
６２ 一般部パネル
６３ 伸縮目地
【図１】
0003966610.tif 000002
【図２】
0003966610.tif 000003
【図３】
0003966610.tif 000004
【図４】
0003966610.tif 000005
【図５】
0003966610.tif 000006
【図６】
0003966610.tif 000007
【図７】
0003966610.tif 000008
【図８】
0003966610.tif 000009